(57)【要約】【課題】映像表示と文字情報の内容が一致するデジタルＴＶ放送受信装置においてユーザ満足度の高い文字情報表示を提供する。【解決手段】デジタル放送受信装置８０は、デジタル放送信号を受信し、指定されたチャンネルのデジタル放送信号に含まれる映像信号を復号し、デジタル放送信号に含まれる文字情報を処理する受信処理ブロック９２と、受信処理ブロック９２の出力を受け表示画面を作成する映像処理部９６と、受信処理ブロック９２及び映像処理部９６を制御する中央処理部１０４とを含む。中央処理部１０４はユーザ指示によるチャンネル切替に応答して、切替先チャンネルがＣＭを放映中の場合、当該チャンネルで放送中の番組の情報を含む文字情報画面を、映像処理部９６により作成し、映像表示が可能になるまで表示部１００により表示する。【選択図】        図３
2008306481.tif 000002
【特許請求の範囲】
【請求項１】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像信号受信処理手段、及び前記映像処理手段を制御して、前記指定されたチャンネルのデジタル放送信号に含まれる映像信号と文字情報とを表示部に出力させるための制御手段とを含み、
前記文字情報は、前記指定されたチャンネルで現在放送中の番組及びコマーシャルに関する情報を含み、
前記映像処理手段は、
前記文字情報による文字情報画面を作成する文字情報画面作成手段と、
前記映像信号と、前記文字情報画面作成手段により作成された前記文字情報画面とによる合成画面を作成するための合成画面作成手段とを含み、
前記制御手段は、
前記文字情報画面作成手段に、前記指定されたチャンネルで現在放送中の番組に関する文字情報を含む前記文字情報画面を作成させる第１の手段と、
前記文字情報画面作成手段に、前記指定されたチャンネルで現在放送中のコマーシャルに関する文字情報を含む前記文字情報画面を作成させるための第２の手段と、
ユーザからチャンネル切替指示を受けたか否かを判定するための第１の判定手段と、
前記第１の判定手段により、ユーザからチャンネル切替指示を受けたと判定されたことに応答して、前記映像処理手段が正常な切替先チャンネルの映像信号を出力することが可能になるまで、前記第１の手段により作成された前記文字情報画面を前記表示部に出力させるための第３の手段と、
前記第１の判定手段により、ユーザからチャンネル切替指示を受けていないと判定されたことに応答して、受信中チャンネルでコマーシャルが放映されているか否かを判定するための第２の判定手段と、
前記第２の判定手段により、前記受信中チャンネルでコマーシャルが放映されていると判定された場合は前記第２の手段により作成された前記文字情報画面を、そうでない場合は前記第１の手段により作成された前記文字情報画面を、それぞれ選択して前記映像信号との前記合成画面を作成するように前記合成画面作成手段を制御し、当該合成画面を前記表示部に表示させるための第４の手段とを含む、デジタル放送受信装置。
【請求項２】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像信号受信処理手段、及び前記映像処理手段を制御して、前記指定されたチャンネルのデジタル放送信号に含まれる映像信号と文字情報とを表示部に出力させるための制御手段とを含むデジタル放送受信装置において、表示画面を制御するための、デジタル放送受信装置の制御方法であって、
前記文字情報は、前記指定されたチャンネルで現在放送中の番組及びコマーシャルに関する情報を含み、
前記映像処理手段は、
前記文字情報による文字情報画面を作成する文字情報画面作成手段と、
前記映像信号と、前記文字情報画面作成手段により作成された前記文字情報画面とによる合成画面を作成するための合成画面作成手段とを含み、
前記制御手段は、
前記文字情報画面作成手段に、前記指定されたチャンネルで現在放送中の番組に関する文字情報を含む前記文字情報画面を作成させる第１の手段と、
前記文字情報画面作成手段に、前記指定されたチャンネルで現在放送中のコマーシャルに関する文字情報を含む前記文字情報画面を作成させるための第２の手段とを含み、
前記方法は、
前記制御手段が、ユーザからチャンネル切替指示を受けたか否かを判定する第１の判定ステップと、
前記制御手段が、前記第１の判定ステップにより、ユーザからチャンネル切替指示を受けたと判定されたことに応答して、前記映像処理手段が正常な切替先チャンネルの映像信号を出力することが可能になるまで、前記第１の手段により作成された前記文字情報画面を前記表示部に出力させるステップと、
前記制御手段が、前記第１の判定ステップにより、ユーザからチャンネル切替指示を受けていないと判定されたことに応答して、受信中チャンネルでコマーシャルが放映されているか否かを判定する第２の判定ステップと、
前記制御手段が、前記第２の判定ステップにより、前記受信中チャンネルでコマーシャルが放映されていると判定された場合は前記第２の手段により作成された前記文字情報画面を、そうでない場合は前記第１の手段により作成された前記文字情報画面を、それぞれ選択して前記映像信号との前記合成画面を作成するように前記合成画面作成手段を制御し、当該合成画面を前記表示部に表示させるステップとを含む、デジタル放送受信装置の制御方法。
【請求項３】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像信号受信処理手段、及び前記映像処理手段を制御するためのコンピュータとを含むデジタル放送受信装置において、前記コンピュータにより実行されることによって、前記指定されたチャンネルのデジタル放送信号に含まれる映像信号と文字情報とを表示部に出力させるための制御装置を実現するためのコンピュータプログラムであって、
前記文字情報は、前記指定されたチャンネルで現在放送中の番組及びコマーシャルに関する情報を含み、
前記映像処理手段は、
前記文字情報による文字情報画面を作成する文字情報画面作成手段と、
前記映像信号と、前記文字情報画面作成手段により作成された前記文字情報画面とによる合成画面を作成するための合成画面作成手段とを含み、
前記コンピュータプログラムは、前記コンピュータを、
前記文字情報画面作成手段に、前記指定されたチャンネルで現在放送中の番組に関する文字情報を含む前記文字情報画面を作成させる第１の手段と、
前記文字情報画面作成手段に、前記指定されたチャンネルで現在放送中のコマーシャルに関する文字情報を含む前記文字情報画面を作成させるための第２の手段と、
ユーザからチャンネル切替指示を受けたか否かを判定するための第１の判定手段と、
前記第１の判定手段により、ユーザからチャンネル切替指示を受けたと判定されたことに応答して、前記映像処理手段が正常な切替先チャンネルの映像信号を出力することが可能になるまで、前記第１の手段により作成された前記文字情報画面を前記表示部に出力させるための第３の手段と、
前記第１の判定手段により、ユーザからチャンネル切替指示を受けていないと判定されたことに応答して、受信中チャンネルでコマーシャルが放映されているか否かを判定するための第２の判定手段と、
前記第２の判定手段により、前記受信中チャンネルでコマーシャルが放映されていると判定された場合は前記第２の手段により作成された前記文字情報画面を、そうでない場合は前記第１の手段により作成された前記文字情報画面を、それぞれ選択して前記映像信号との前記合成画面を作成するように前記合成画面作成手段を制御し、当該合成画面を前記表示部に表示させるための第４の手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送において、映像信号及び文字情報からなる映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
電波の帯域は、情報を提供する上で有限な資源であり、デジタルテレビ放送は、ＵＨＦ（Ｕｌｔｒａ−Ｈｉｇｈ  Ｆｒｅｑｕｅｎｃｙ、極超短波）放送利用による利用可能帯域の拡大、及び信号の符号化による送信データ量削減により、帯域利用の効率化を図っている。
【０００４】
その上で、デジタルテレビ放送では、映像や音声と同時に、それ以外の情報、例えば、放映番組に関する情報、ニュース、及び天気予報のような文字情報を送信しユーザに提供することで、アナログテレビ放送では困難であったサービスを可能にしている。これらの文字情報は、データ放送と呼ばれる。ユーザの「データ放送」表示指示、又は「番組情報」表示指示等の指示と、そのテレビの表示レイアウトとを反映して、映像信号と同時に表示されることが一般的である。
【０００５】
しかし、文字情報の提供については、次のような不都合が生じている。ユーザがある第１の番組を視聴していたとする。このとき、第１の番組放映の途中や、第１の番組の放映が終了し、次に放送予定の第２の番組が開始されるまでの間にＣＭ（コマーシャルメッセージ）が放映される。このようなＣＭ放映中に、ユーザが「番組情報」表示指示を行なったとする。このとき、表示される文字情報は第１の番組に関する情報であり、映像信号と文字情報の内容は一致していない。これは、テレビジョン受像機の文字情報処理機能は、受信した放送信号から現在の番組に関する情報を抽出し、表示することに起因する。したがって、特に、ユーザが「番組情報」表示の指示を行なった時点が、第１の番組の放映終了後のＣＭ放映中であった場合、実質的には既に終了した番組の情報が提供されることになる。
【０００６】
また、他の問題点として、ＣＭにより紹介された商品又はサービスへのユーザの興味が喚起され、これらの詳細について更に知りたいと感じても、実際に表示されるのは番組の情報であり、ＣＭ商品又はサービスの詳細を知ることが妨げられてしまう。
【０００７】
このような問題を解決する一方法として、特許文献１では、デジタルテレビ放送の送受信性を生かし、ユーザ情報から選択されたＣＭの情報を受信し、ユーザの指示により、更に詳細な情報を受信及び保存できる技術が開示されている。この技術によれば、ユーザは興味のあるＣＭ対象商品又はサービスについて、必要な情報を選択し入手することができる。
【０００８】
また、特許文献２においては、従来技術として、ＣＭに関する詳細な情報をテレビ受信機の表示画面に表示させてユーザがこれを入手する技術を示し、加えて、ＣＭに関する詳細な情報をユーザの携帯端末へ送信することにより、携帯端末を介してユーザが保存・閲覧することができる技術を開示している。
【０００９】
特許文献１、及び２に開示の技術によれば、テレビ視聴中にＣＭが放映され、そのＣＭで紹介された商品又はサービスにユーザが興味を抱いた場合、ユーザは、その商品又はサービスの詳細についてこれを表示画面へ表示させるなどして入手することができる。
【００１０】
【特許文献１】特開２００５−２１０３０７号公報
【特許文献２】特開２００５−２０６６２号公報
【発明の開示】
【発明が解決しようとする課題】
【００１１】
しかし、以下のような問題点もある。デジタル放送では、デコードにある時間がかかるため、チャンネルの切替指示があってからそのチャンネルで放送されている映像が実際に表示されるまでの間に、画面に何も表示されない期間がある。この場合、真っ黒な画面が表示される期間は、ユーザにとって無駄な時間である上に、切替先のチャンネルでどのような番組が放送されているのかを直ちに知ることもできない。
【００１２】
こうした問題を解決するために、チャンネル切替時、切替後のチャンネルの映像が表示されるまでの間、番組の文字情報を表示させることが考えられる。文字情報は、そのデータ量と性質とから、チャンネル切替指示から画面表示までの時間が映像放送よりも短時間で済むため、チャンネル切替指示後に瞬時に表示させることが可能である。この文字情報により、少なくとも切替先チャンネルで放送中の番組が何かを知ることができる。
【００１３】
しかし、チャンネル切替時、切替先のチャンネルでＣＭが放送されているタイミングであった場合、前述した特許文献１及び特許文献２の従来技術によれば、文字情報としてＣＭ情報が表示される。このような場合、チャンネルを切替えたユーザは、切替先チャンネルで放送中の番組が何かを直ちに知りたい可能性が高く、この場合ＣＭ情報は無益な文字情報となってしまう。
【００１４】
したがって本発明の目的は、映像信号と文字情報の内容を一致させたデジタルテレビ放送の受信装置において、ユーザ満足度の高い文字情報を提供することである。
【課題を解決するための手段】
【００１５】
本発明の第１の局面に係るデジタル放送受信装置は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像信号受信処理手段、及び映像処理手段を制御して、指定されたチャンネルのデジタル放送信号に含まれる映像信号と文字情報とを表示部に出力させるための制御手段とを含む。文字情報は、指定されたチャンネルで現在放送中の番組及びコマーシャルに関する情報を含む。映像処理手段は、文字情報による文字情報画面を作成する文字情報画面作成手段と、映像信号と、文字情報画面作成手段により作成された文字情報画面とによる合成画面を作成するための合成画面作成手段とを含む。制御手段は、文字情報画面作成手段に、指定されたチャンネルで現在放送中の番組に関する文字情報を含む文字情報画面を作成させる第１の手段と、文字情報画面作成手段に、指定されたチャンネルで現在放送中のコマーシャルに関する文字情報を含む文字情報画面を作成させるための第２の手段と、ユーザからチャンネル切替指示を受けたか否かを判定するための第１の判定手段と、第１の判定手段により、ユーザからチャンネル切替指示を受けたと判定されたことに応答して、映像処理手段が正常な切替先チャンネルの映像信号を出力することが可能になるまで、第１の手段により作成された文字情報画面を表示部に出力させるための第３の手段と、第１の判定手段により、ユーザからチャンネル切替指示を受けていないと判定されたことに応答して、受信中チャンネルでコマーシャルが放映されているか否かを判定するための第２の判定手段と、第２の判定手段により、受信中チャンネルでコマーシャルが放映されていると判定された場合は第２の手段により作成された文字情報画面を、そうでない場合は第１の手段により作成された文字情報画面を、それぞれ選択して映像信号との合成画面を作成するように合成画面作成手段を制御し、当該合成画面を表示部に表示させるための第４の手段とを含む。
【００１６】
このデジタル放送受信装置において、映像信号受信処理手段は、指定されたチャンネルのデジタル放送信号に含まれる映像信号の復号と、文字情報を処理して出力する処理とを行なう。映像処理手段は、映像信号受信処理手段の出力する文字情報による文字情報画面を作成し、映像信号受信処理手段により復号された映像信号及び文字情報画面による合成画面を作成する。制御手段は、ユーザからチャンネル切替指示を受けると、映像処理手段が正常な映像信号を出力することが可能になるまで、切替先チャンネルで放送中の番組に関する情報を含む文字情報画面を、表示部に出力させる。ユーザからのチャンネル切替指示がないとき、制御手段は、さらに、合成画面作成表示手段を制御して、受信中チャンネルの映像信号及び文字情報画面を合わせて合成画面を作成させ、作成された合成画面を表示部に表示させる。このとき、受信中チャンネルがコマーシャルを放映している場合、コマーシャルに関する文字情報が、受信中チャンネルが番組を放映している場合は放送中の番組に関する文字情報が、それぞれ表示される。
【００１７】
このデジタル放送受信装置によれば、表示中の映像と文字情報との内容を一致させることができる。ユーザは、番組本編放送中はその番組の情報を、ＣＭ放映中はそのＣＭで紹介されている商品及びサービスの情報を、それぞれ入手することができる。これにより、ユーザの文字情報に対する満足度を向上させることができる。
【００１８】
さらに、ユーザがチャンネル切替指示を行なったときに、デジタル放送信号に関しては、映像信号受信処理手段による正常な映像信号の復号はすぐには可能にならない。しかし、それまでの間、文字情報画面作成手段により作成された、切替先チャンネルで放送中の番組情報が表示部に表示される。したがって、この間に表示部に表示される画面が真っ黒になることが避けられる。加えて、このデジタル放送受信装置によれば、チャンネル切替時に切替先チャンネルがＣＭ放映中であっても、ＣＭの文字情報ではなく、番組本編に関する番組情報が表示される。その結果ユーザは、映像が表示されるのを待たずに、放送中の番組が何かを知ることができる。
【００１９】
本発明の第２の局面に係るデジタル放送受信装置の制御方法は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像信号受信処理手段、及び映像処理手段を制御して、指定されたチャンネルのデジタル放送信号に含まれる映像信号と文字情報とを表示部に出力させるための制御手段とを含むデジタル放送受信装置において、表示画面を制御するための、デジタル放送受信装置の制御方法である。文字情報は、指定されたチャンネルで現在放送中の番組及びコマーシャルに関する情報を含む。映像処理手段は、文字情報による文字情報画面を作成する文字情報画面作成手段と、映像信号と、文字情報画面作成手段により作成された文字情報画面とによる合成画面を作成するための合成画面作成手段とを含む。制御手段は、文字情報画面作成手段に、指定されたチャンネルで現在放送中の番組に関する文字情報を含む文字情報画面を作成させる第１の手段と、文字情報画面作成手段に、指定されたチャンネルで現在放送中のコマーシャルに関する文字情報を含む文字情報画面を作成させるための第２の手段とを含む。制御方法は、制御手段が、ユーザからチャンネル切替指示を受けたか否かを判定する第１の判定ステップと、制御手段が、第１の判定ステップにより、ユーザからチャンネル切替指示を受けたと判定されたことに応答して、映像処理手段が正常な切替先チャンネルの映像信号を出力することが可能になるまで、第１の手段により作成された文字情報画面を表示部に出力させるステップと、制御手段が、第１の判定ステップにより、ユーザからチャンネル切替指示を受けていないと判定されたことに応答して、受信中チャンネルでコマーシャルが放映されているか否かを判定する第２の判定ステップと、制御手段が、第２の判定ステップにより、受信中チャンネルでコマーシャルが放映されていると判定された場合は第２の手段により作成された文字情報画面を、そうでない場合は第１の手段により作成された文字情報画面を、それぞれ選択して映像信号との合成画面を作成するように合成画面作成手段を制御し、当該合成画面を表示部に表示させるステップとを含む。
【００２０】
本制御方法は、表示中の映像と文字情報との内容を一致させる。ユーザは、番組本編放送中はその番組の情報を、ＣＭ放映中はそのＣＭで紹介されている商品及びサービスの情報を、それぞれ入手することができる。これにより、ユーザの文字情報に対する満足度を向上させることができる。
【００２１】
さらに、本制御方法は、ユーザがチャンネル切替指示を行なったときに、切替先のチャンネルの映像信号の表示が可能になるまでの間、切替先チャンネルで放送中の番組情報が表示部に表示される。したがって、この間に表示部に表示される画面が真っ黒になることが避けられる。加えて、本方法によれば、チャンネル切替時に切替先チャンネルがＣＭ放映中であっても、ＣＭの文字情報ではなく、番組本編に関する番組情報が表示される。その結果ユーザは、映像が表示されるのを待たずに、放送中の番組が何かを知ることができる。
【００２２】
本発明の第３の局面に係るコンピュータプログラムは、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像信号受信処理手段、及び映像処理手段を制御するためのコンピュータとを含むデジタル放送受信装置において、コンピュータにより実行されることによって、指示されたチャンネルのデジタル放送信号に含まれる映像信号と文字情報とを表示部に出力させるための制御装置を実現するためのコンピュータプログラムである。文字情報は、指定されたチャンネルで現在放送中の番組及びコマーシャルに関する情報を含む。映像処理手段は、文字情報による文字情報画面を作成する文字情報画面作成手段と、映像信号と、文字情報画面作成手段により作成された文字情報画面とによる合成画面を作成するための合成画面作成手段とを含む。このコンピュータプログラムは、コンピュータを、文字情報画面作成手段に、指定されたチャンネルで現在放送中の番組に関する文字情報を含む文字情報画面を作成させる第１の手段と、文字情報画面作成手段に、指定されたチャンネルで現在放送中のコマーシャルに関する文字情報を含む文字情報画面を作成させるための第２の手段と、ユーザからチャンネル切替指示を受けたか否かを判定するための第１の判定手段と、第１の判定手段により、ユーザからチャンネル切替指示を受けたと判定されたことに応答して、映像処理手段が正常な切替先チャンネルの映像信号を出力することが可能になるまで、第１の手段により作成された文字情報画面を表示部に出力させるための第３の手段と、第１の判定手段により、ユーザからチャンネル切替指示を受けていないと判定されたことに応答して、受信中チャンネルでコマーシャルが放映されているか否かを判定するための第２の判定手段と、第２の判定手段により、受信中チャンネルでコマーシャルが放映されていると判定された場合は第２の手段により作成された文字情報画面を、そうでない場合は第１の手段により作成された文字情報画面を、それぞれ選択して映像信号との合成画面を作成するように合成画面作成手段を制御し、当該合成画面を表示部に表示させるための第４の手段として機能させる。
【００２３】
本コンピュータプログラムは、表示中の映像と文字情報との内容を一致させる。ユーザは、番組本編放送中はその番組の情報を、ＣＭ放映中はそのＣＭで紹介されている商品及びサービスの情報を、それぞれ入手することができる。これにより、ユーザの文字情報に対する満足度を向上させることができる。
【００２４】
さらに、本プログラムは、ユーザがチャンネル切替指示を行なったときに、切替先のチャンネルの映像信号の表示が可能になるまでの間、切替先チャンネルで放送中の番組情報が表示部に表示させる。したがって、この間に表示部に表示される画面が真っ黒になることが避けられる。加えて、本技術によれば、チャンネル切替時に切替先チャンネルがＣＭ放映中であっても、ＣＭの文字情報ではなく、番組本編に関する番組情報が表示される。その結果ユーザは、映像が表示されるのを待たずに、放送中の番組が何かを知ることができる。
【発明の効果】
【００２５】
以上のように本発明によれば、視聴中、表示中の映像と文字情報との内容が一致しているので、ユーザは、番組本編放送中はその番組の情報を、ＣＭ放映中はそのＣＭで紹介されている商品及びサービスの情報を入手することができる。これにより、ユーザの文字情報に対する満足度を向上させることができる。
【００２６】
さらに、あるチャンネルから他のチャンネルに切替るようユーザの指示があった場合、切替先のチャンネルの映像信号の表示が可能になるまでの間、文字情報、すなわち、切替先のチャンネルと、その時点においてそのチャンネルで放送されている番組の情報が表示される。その結果、画面が完全に真っ暗になってしまうことがなくなり、ユーザは、全く映像が見られないという不満を解消することができる。さらに、チャンネル切替時に切替先チャンネルにおいてＣＭを放映中の場合、ＣＭの文字情報ではなく、番組本編に関する番組情報が表示される。ユーザは、映像が表示されるのを待たずに、放送中の番組が何かを知ることができる。
【発明を実施するための最良の形態】
【００２７】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００２８】
図１に、従来の技術による表示画面の経時変化を示す。すなわち、図１を参照して、第２チャンネル（ＣＨ２）及び第５チャンネル（ＣＨ５）の放送信号のそれぞれの経時変化と、表示画面４０、４２及び４４との関係を示す。第２チャンネル（ＣＨ２）の放送信号は、映像信号２０、「現在放送番組」情報信号２１、及び「番組内のローカルイベント」情報信号２２を含む。第５チャンネル（ＣＨ５）の放送信号は、映像信号２３、「現在放送番組」情報信号２４、及び「番組内のローカルイベント」情報信号２５を含む。
【００２９】
なお、前述した放送信号に含まれる情報は、デジタルテレビジョン放送において標準的に提供される情報である。これらのうち、現在放送番組情報の内容は明らかである。番組内のローカルイベント情報とは、番組中で特定のイベント（ローカルイベント）が発生していることを示す情報である。例えば、番組のオープニング時には「オープニング」というローカルイベント情報が、終了時には「エンディング」というローカルイベント情報が、ＣＭ放送時には「ＣＭ放送中」というローカルイベント情報が、それぞれデジタル放送信号とともに送信されてくる。
【００３０】
図１に示す時間帯は２０：００〜２１：００である。表示画面は、ユーザにより映像信号と文字情報を合成したレイアウトが選択されているものとする。
【００３１】
ユーザが第２チャンネルを視聴していたものとする。番組放映中は、放映中のスポーツ番組の映像と、その番組に関する文字情報“スポーツ「バレーボール○○対△△」”とを含む画面４０が表示される。この画面において、番組に関する文字情報は「現在放送番組」情報信号２１から取得した「現在放送中の番組」情報であり、映像と文字情報の内容は一致している。次に、ＣＭ放映中の場合、画面４０と同様に、当該番組に関する文字情報を含む画面４２が表示される。この画面においては、映像と文字情報の内容は一致していない。このため、ＣＭにより、紹介された商品又はサービスへのユーザの興味が喚起され、ユーザがこれらの詳細について更に知りたいと感じても、その詳細を知ることが妨げられてしまう。最後に、ユーザがチャンネル切替を行なうと、暫くの間、画面４４のような真っ黒な画面が表示される。この間は、新たに指定された第５チャンネルの映像信号を受信し、正常なデコード（復号）が開始されるまでの時間期間であり、放送されるデジタル放送信号の符号化方式と、チャンネル切替の指示のタイミングと、チューナの同調が安定するまでの期間とに主に依存してその長さが変化する。この間ユーザは切替先チャンネルで放送中の番組の情報を知ることができない。
【００３２】
［第１の実施の形態］
図２に、以下に説明する本願発明の第１の実施の形態に係るデジタルテレビ放送受信装置における表示画面の経時変化を示す。すなわち、図２を参照して、図１と同様、第２チャンネル（ＣＨ２）及び第５チャンネル（ＣＨ５）の放送信号のそれぞれの経時変化と、表示画面６０、６２及び６４との関係を示す。第２チャンネル（ＣＨ２）の放送信号は、映像信号５０、「現在放送番組」情報信号５１、及び、「番組内のローカルイベント」情報信号５２を含む。第５チャンネル（ＣＨ５）の放送信号は、映像信号５３、「現在放送番組」情報信号５４、及び「番組内のローカルイベント」情報信号５５を含む。
【００３３】
なお、時間帯と、表示画面として映像信号及び文字情報を合成したレイアウトが選択されていることとは、従来技術の場合と同じとする。
【００３４】
ユーザが第２チャンネルを視聴していたものとする。番組放映中は、図１と同様に、放映中のスポーツ番組の映像と、その番組に関する文字情報“スポーツ「バレーボール○○対△△」”とを含む画面６０が表示される。この画面の文字情報は図１の画面４０と同様であり、映像と文字情報の内容は一致している。次に、ＣＭ放送中においては、図１に示す画面４２または画面６０とは異なり、ＣＭで紹介されている商品の名前“○○ビール”と、その商品の詳細情報、すなわちそのホームページのＵＲＬ“ｈｔｔｐ：／／ｗｗｗ．○○ｂｅｅｒ．．．”を含む画面６２が表示される。この画面６２においては、映像と文字情報の内容は一致しており、ユーザのＣＭの商品に対する好奇心を満足させることができる。最後に、ユーザがチャンネル切替を行なうと、図１に示す真っ黒な画面４４が表示される代わりに、文字情報からなる画面６４が表示される。画面６４に表示される情報は、切替先チャンネルの情報“ＣＨ５  テレビＰＰ”と、当該チャンネルで現在放送中の番組の情報“ドラマ  ？？？”と、当該チャンネルでその時点でＣＭを放映中である旨のテキストとを含む。この場合、ユーザは切替先である第５チャンネルの映像が表示されるまでの間、第５チャンネルの番組情報を見ることができるため、映像表示までの待ち時間を感じることがないという効果がある。
【００３５】
また、チャンネル切替が、いわゆるザッピングによる様な場合、画面６４の表示によってこのチャンネルで放送中の番組について直ちに知ることができる。もしもこの番組がユーザにとって興味のないものであれば、映像が表示される前に次のチャンネルに移動することができ、ユーザは効率良くザッピングを行なうことができる。
【００３６】
〈構成〉
図３に、上記した図２に示すような表示形態を実現する本発明の第１の実施の形態に係るデジタルテレビ放送受信装置８０の構成をブロック図形式で示す。図３を参照して、デジタルテレビ放送受信装置８０は、デジタルテレビ放送信号を受信するアンテナ端子９０と、リモートコントローラ（以下「リモコン」と呼ぶ。）１１４等から与えられたチャンネル選局信号により指定されたチャンネルのデジタル放送信号を選局して出力するためのデジタルテレビ放送受信処理ブロック９２（以下「受信処理ブロック９２」と呼ぶ。）と、受信処理ブロック９２に接続され、所定の契約を締結した受信者のみが視聴可能な映像信号（限定受信信号）のデコードに必要な限定受信認証鍵を格納する限定受信認証鍵格納部９４とを含む。限定受信信号とは、例えば有料テレビ放送など、スクランブルした信号であって、限定受信認証鍵を持つ受信装置のみがスクランブルを解除することができるような信号のことをいう。
【００３７】
デジタルテレビ放送受信装置８０はさらに、受信処理ブロック９２の出力する受信信号を受けるように接続され、与えられた受信信号を処理して映像出力信号を出力する映像処理部９６と、映像処理部９６の出力する映像出力信号を受けるように接続され、その映像を表示するための表示部１００と、受信処理ブロック９２の出力する受信信号を受けるように接続され、受信信号を処理して音声出力信号を出力する音声処理部９８と、音声処理部９８からの音声出力信号を受けて音声に変換するための音声出力部１０２とを含む。
【００３８】
デジタルテレビ放送受信装置８０はさらに、受信処理ブロック９２、映像処理部９６、及び音声処理部９８を含む複数の入出力先の間での双方向の信号の伝送を行なうためのバス１０３と、バス１０３に接続され、図２に示されるようなチャンネル切替時の文字情報表示を実現するための所定のプログラム、及びその他の制御を行なうためのプログラムを実行する、ＣＰＵ（中央演算処理装置）からなる中央処理部１０４と、バス１０３に接続され、中央処理部１０４が実行するプログラム及び中央処理部１０４がプログラム実行の際に使用する作業変数等を当該処理時に一時的に記憶するための主記憶部１０６と、バス１０３に接続され、中央処理部１０４が実行するプログラム及びその他の情報を格納し、中央処理部１０４の制御に従って、必要な情報を必要なときに主記憶部１０６等の他の処理ブロックに出力し、他のブロックからの出力を格納するための、不揮発性の記憶装置からなる補助記憶部１０８と、バス１０３に接続され、時刻情報を出力する時計１１０と、バス１０３に接続され、リモコン１１４等からのチャンネル選択指示等の赤外線信号を受光し、中央処理部１０４に対しチャンネル切替コード等の制御コードとして与えるためのユーザ入力受付部１１２と、ユーザ入力受付部１１２に接続され、ユーザによる操作に応答してその指示をユーザ入力受付部１１２に与えるための操作パネル１１６とを含む。
【００３９】
なお、映像処理部９６の行なう処理は、図３に示すように、チャンネルの選択などの表示選択処理、映像及び文字情報の表示を合成するための映像／文字表示合成処理、映像を含まず、文字情報のみからなる画面を作成するための文字表示画面作成処理、インターレース方式の映像表示装置向けに作成された映像信号をプログレッシブ方式の装置向けの映像信号に変換するための映像ＩＰ変換処理、低解像度の映像を拡大表示したときの映像の劣化を防ぐスケーリング処理、デコードした映像を一時蓄積してタイムシフト再生などを可能にするための映像一時蓄積処理、受信した信号中の文字情報を蓄積する文字情報蓄積処理、及び映像に対し種々の加工をするためのイフェクト処理等を含む。
【００４０】
同様に、音声処理部９８の行なう処理は、図３に示すように、チャンネルの選択などの音声選択処理、日本語と英語等複数の音声をユーザが選択した場合に音声を合成するための音声合成処理、ユーザからの指示により音量を制御する音量制御、及び音声に対し種々の加工をするためのイフェクト処理等を含む。
【００４１】
図４に受信処理ブロック９２の構成図を示す。図４を参照して、受信処理ブロック９２は、アンテナ端子９０により受信されたデジタルテレビ放送信号を受けるように接続され、バス１０３を介して中央処理部１０４から与えられたチャンネル選局信号により指定されたチャンネルのデジタル放送信号を選局して出力するためのデジタル放送フロントエンド処理部チューナ（以下「チューナ」と呼ぶ。）１２０と、チューナ１２０に接続され、チューナ１２０で受信した信号を復調するための復調部１２２と、復調部１２２に接続され、復調部１２２で復調された信号を情報の種類によって分離する多重信号分離部１２４とを含む。
【００４２】
多重信号分離部１２４により分離される信号の種類としては、番組特定情報及びサービス情報パケット、映像信号パケット、及び音声信号パケットがある。番組特定情報及びサービス情報パケットにより伝送される情報のうち、番組特定情報は、番組を選択するために必要な技術的情報を含む。サービス情報は、番組表、文字情報、及び限定受信情報を含む。文字情報は、いずれも後述するチャンネル情報、「現在放送中の番組」情報、「次に放送予定の番組」情報、及び「番組内のローカルイベント」情報を含む。限定受信情報は、映像信号パケットや音声信号パケットが限定受信情報であった場合、それを示す情報であり、その暗号を解除するために必要な情報である。
【００４３】
受信処理ブロック９２はさらに、多重信号分離部１２４に接続され、多重信号分離部１２４の出力のうち、番組特定情報及びサービス情報を受け、各情報に対してそれぞれ所定の処理を行なうための番組特定情報・サービス情報処理部１２６を含む。
【００４４】
番組特定情報・サービス情報処理部１２６により実行される処理は、チャンネル情報、「現在放送中の番組」情報、「次に放送予定の番組」情報、及び「番組内のローカルイベント」情報を、その目的に応じて処理し映像処理部９６または中央処理部１０４へ出力する処理を含む。
【００４５】
図２のシーケンスを例として挙げ、サービス情報の詳細を説明する。図２を参照して、チャンネル情報は、画面６０に示された、チャンネル番号“ＣＨ２”及び放送局名“××テレビ”を含む。「現在放送中の番組」情報は、画面６０に示された“スポーツ『バレーボール○○対△△』”を含む。「次に放送予定の番組」情報は、「現在放送中の番組」情報と同様の、次に放送予定の番組に関連する情報である。この情報は、図２に示す画面６０、６２及び６４を視聴している時点では放映されていないが、その情報を取得し伝送することができる。「番組内のローカルイベント」情報は、「現在放送中の番組」の進行状況を示すものである。この情報は、番組開始直後には“オープニング”、終了前後には“エンディング”、ＣＭ放映中には“ＣＭ”のような内容となる。なお、番組放映中、「番組内のローカルイベント」情報は空である。
【００４６】
番組特定情報・サービス情報処理部１２６により実行される処理は、さらに、番組特定情報及びサービス情報パケットにより伝送される限定受信情報を処理し、後述する映像信号暗号解除処理部１２８及び音声信号暗号解除処理部１３０へ出力する処理を含む。
【００４７】
受信処理ブロック９２はさらに、多重信号分離部１２４、番組特定情報・サービス情報処理部１２６、及び限定受信認証鍵格納部９４に接続され、多重信号分離部１２４の出力する映像信号パケットと、番組特定情報・サービス情報処理部１２６の出力する限定受信情報と、限定受信認証鍵格納部９４の出力する限定受信認証鍵とを受け、受信された映像信号パケットが限定受信信号であるときには限定受信認証鍵を用いてその暗号を解除して出力し、それ以外のときには映像信号パケットをそのまま出力するための映像信号暗号解除処理部１２８と、多重信号分離部１２４の出力する音声信号パケットと、番組特定情報・サービス情報処理部１２６の出力する限定受信情報と、限定受信認証鍵格納部９４からの限定受信認証鍵とを受けるように接続され、受信された音声信号パケットが限定受信信号であるときには限定受信認証鍵を用いてその暗号を解除して出力し、それ以外のときには単に音声信号パケットを出力するための音声信号暗号解除処理部１３０と、映像信号暗号解除処理部１２８の出力を受けるよう接続され、その出力信号から映像信号を復号して映像処理部９６に与える映像信号復号部１３２と、音声信号暗号解除処理部１３０の出力を受けるよう接続され、その出力信号から音声信号を復号して音声処理部９８に与える音声信号復号部１３４とを含む。なお、以下の説明では、受信された映像信号はすべて限定受信信号であるものとし、そのデコードに必要な限定受信認証鍵はすべて限定受信認証鍵格納部９４に格納されているものとする。
【００４８】
図５及び図６は、図３に示す中央処理部１０４により実行されるチャンネルメイン制御プログラムを示す。
【００４９】
図５を参照して、中央処理部１０４が実行するプログラムは、図３に示すリモコン１１４及び操作パネル１１６によるユーザのチャンネル切替操作をユーザ入力受付部１１２が受信したか否かを判定し、判定結果に応じて制御の流れを分岐させるステップ１４０と、ステップ１４０においてユーザによるチャンネル切替操作があると判定されたことに応答して実行され、指示されたチャンネルが現在表示している番組と異なるチャンネルか否かを判定し、判定結果に応じて制御の流れを分岐させるステップ１４２と、ステップ１４２において、指示チャンネルが現在表示している番組と異なるチャンネルであると判定されたことに応答して実行され、別のチャンネルへの切替指示があったことを示すフラグＦＬＡＧに１を代入するステップ１４３と、ステップ１４３の後に実行され、映像処理部９６に対して表示部１００への出力停止を指示するステップ１４４と、ステップ１４４の後に実行され、受信処理ブロック９２に対しチャンネル切替処理を指示するステップ１４６とを含む。なお、ステップ１４２において、指示チャンネルが現在表示している番組と異なるチャンネルではないと判定された場合、処理はステップ１４０へ戻る。また、ステップ１４０においてユーザのチャンネル切替操作がないと判定された場合、制御は図６に示すステップ１６５に進む。
【００５０】
このプログラムはさらに、ステップ１４６の後に実行され、限定受信認証鍵格納部９４に、表示に必要な限定受信認証鍵が格納されているか否かを判定し、判定結果に応じて制御の流れを分岐させるステップ１４８と、ステップ１４８において表示に必要な限定受信認証鍵が格納されていると判定されたことに応答して実行され、映像処理部９６に、文字情報である番組情報表示画面を作成するための処理を実行させるステップ１５０と、ステップ１５０の後に実行され、表示部１００へ番組情報表示画面を出力するよう映像処理部９６を制御するステップ１５２と、ステップ１５２の後、この番組情報表示画面を表示するよう表示部１００を制御するステップ１５４とを含む。
【００５１】
このプログラムはさらに、ステップ１５４の後に実行され、指示チャンネルの復号済み映像信号について、その誤り率（ビットエラーレート）は基準値内か否かを判定し、基準値内になるまで待機するステップ１５６と、ステップ１５６において誤り率が基準値内であると判定されたことに応答して、映像処理部９６に対し表示部１００へ指示チャンネルの復号済み映像信号を出力するよう指示する処理を行なうステップ１５８と、ステップ１５８の後に実行され、表示部１００に指示チャンネルの復号済み映像信号を表示させるステップ１６０とを含む。ステップ１６０の後、処理を終了する。
【００５２】
このプログラムはさらに、ステップ１４８において、表示に必要な限定受信認証鍵が格納されていないと判定されたことに応答して実行され、映像処理部９６を制御し表示部１００へ「限定受信認証鍵がない」という主旨の文字情報を出力させるステップ１６２と、ステップ１６２の後、表示部１００に対しこの文字情報画面を表示させるステップ１６４とを含む。ステップ１６４の後、処理を終了する。
【００５３】
図６を参照して、このプログラムはさらに、ステップ１４０においてＮＯと判定されたことに応答して実行され、フラグＦＬＡＧに０を代入するステップ１６５と、ステップ１６５の後に実行され、番組情報表示画面の作成を行なうよう映像処理部９６を制御するステップ１６６と、ステップ１６６の後、現在受信中のチャンネルの信号のうち、「番組内のローカルイベント」情報を取得するステップ１６８と、補助記憶部１０８にあらかじめ格納されていた、図７に示す「『番組内のローカルイベント』情報と『表示レイアウト』情報の対応テーブル」１９０を取得した後、このテーブル１９０と、ステップ１６８にて取得した「番組内のローカルイベント情報」とより、その「番組内のローカルイベント情報」に対応する「表示レイアウト」情報を取得するステップ１７０と、その後、その「表示レイアウト」情報を中央処理部１０４から取得するよう映像処理部９６に指示するステップ１７２と、その後、取得された「表示レイアウト」情報に基づき番組情報表示画面と放送映像信号画面を合成するよう映像処理部９６を制御するステップ１７４と、その合成された信号を表示部１００へ出力するよう映像処理部９６を制御するステップ１７６と、その出力された合成画面信号を表示するよう表示部１００を制御するステップ１７８とを含む。ステップ１７８の後、処理はステップ１４０へ戻る。
【００５４】
なお、このプログラムを実行した場合、中央処理部１０４は、電源投入直後には初期設定のチャンネルを選択するように受信処理ブロック９２を制御するものとする。
【００５５】
図７を参照して、「『番組内のローカルイベント』情報と『表示レイアウト』情報の対応テーブル」１９０は補助記憶部１０８にあらかじめ格納されている。これは「番組内のローカルイベント」情報の違いにより表示部１００に表示するレイアウトを変更させるための情報である。
【００５６】
図８は、図５に示すステップ１４６で実行されるチャンネル切替処理の詳細を示すフローチャートである。図８を参照して、この処理は、ステップ１４０において受信したチャンネル切替コードによって指示されたチャンネルの信号を選択させるために、図４に示すチューナ１２０の周波数設定を変更するステップ２００と、ステップ２００の後、チューナ１２０を新周波数と同調させるステップ２０２と、ステップ２０２の後、チューナにより受信された信号を復調部１２２に入力しその信号を復調させるステップ２０４と、その復調された信号を情報の種類によって分離するよう多重信号分離部１２４を制御するステップ２０６と、その信号分離ができるか否かを判定するステップ２０８とを含む。ステップ２０８において、信号分離できると判定された場合、処理は次のステップへ進み、一方で、信号分離できないと判定された場合、処理はステップ２０６へ戻る。
【００５７】
チャンネル切替処理は更に、ステップ２０８の判定がＹＥＳの場合に実行され、多重信号分離部１２４を制御し分離された信号をその種類によってそれぞれ、映像信号暗号解除処理部１２８、音声信号暗号解除処理部１３０及び番組特定情報・サービス情報処理部１２６へ出力するステップ２１０と、ステップ２１０の後、限定受信認証鍵格納部９４に表示に必要な限定受信認証鍵が格納されているか否かを判定するステップ２１２と、ステップ２１２において、表示に必要な限定受信認証鍵が格納されていると判定されたことに応答して実行され、映像信号暗号解除処理部１２８に対し、限定受信認証鍵格納部９４からの出力である限定受信認証鍵、多重信号分離部１２４からの出力である映像信号パケット、及び番組特定情報・サービス情報処理部１２６からの出力である限定受信情報を与え、限定受信認証鍵により映像信号パケットの暗号を解除させる処理と、音声信号暗号解除処理部１３０に対し、限定受信認証鍵格納部９４からの出力である限定受信認証鍵、多重信号分離部１２４からの出力である音声信号パケット、及び番組特定情報・サービス情報処理部１２６からの出力である限定受信情報を与え、限定受信認証鍵により音声信号パケットの暗号を解除させる処理とを行なうステップ２１４と、ステップ２１４の後、映像信号暗号解除処理部１２８及び音声信号暗号解除処理部１３０を制御し、暗号解除済みの映像及び音声信号を、映像信号復号部１３２及び音声信号復号部１３４へそれぞれ出力させるステップ２１６と、ステップ２１６の後、映像信号復号部１３２及び音声信号復号部１３４に入力された映像信号及び音声信号を復号させるステップ２１８と、ステップ２１８の後、映像信号復号部１３２及び音声信号復号部１３４に対し、復号済みの映像信号及び音声信号を、それぞれ、映像処理部９６及び音声処理部９８へ出力させるステップ２２０とを含む。ステップ２２０の後、処理を終了する。
【００５８】
チャンネル切替処理はさらに、ステップ２１２において、限定受信認証鍵格納部９４に表示に必要な限定受信認証鍵が格納されていないと判定されたことに応答して実行され、映像信号暗号解除処理部１２８及び音声信号暗号解除処理部１３０に対し、それぞれ、映像信号及び音声信号を、映像信号復号部１３２及び音声信号復号部１３４に出力する処理を停止させるステップ２２２と、映像信号復号部１３２及び音声信号復号部１３４に対し、映像処理部９６及び音声処理部９８への出力を停止させ、表示部１００に黒画面を表示させるステップ２２４とを含む。ステップ２２４の後、処理を終了する。
【００５９】
図９は、図３に示す中央処理部１０４が映像処理部９６を制御して実行する、図５に示すステップ１５０、及び図６に示すステップ１６６において起動される、番組情報表示画面作成処理の詳細を示したものであり、番組情報として「現在放送中の番組」情報を採用した、「現在放送中の番組」情報の表示画面作成処理のフローチャートである。図９を参照して、このプログラムは、受信しているチャンネル信号の中から、チャンネル情報、すなわち、チャンネル番号、チャンネル番号毎に割り当てられた３桁の番号（以下「３桁の番号」と呼ぶ。）、及び放送局名を取得するステップ２４０と、ステップ２４０の後、映像処理部９６に対し、受信しているチャンネルの信号のうち、「現在放送中の番組」情報及び「番組内のローカルイベント」情報を取得させるステップ２４２と、ステップ２４２において得た「番組内のローカルイベント」情報より、「番組内のローカルイベント」情報が空であるか否かを判定するステップ２４４と、ステップ２４４において「番組内のローカルイベント」情報が空であると判定されたことに応答して実行され、補助記憶部１０８に予め格納された、図１０に示す「データがないときのローカルイベント」テーブル２８０を取得するステップ２４６と、ステップ２４６の後に、「現在放送中の番組」情報内の「番組ジャンル」情報を取得するステップ２４８と、ステップ２４８の後に実行され、取得した「番組ジャンル」情報及び「データがないときのローカルイベント」テーブル２８０より、現在放映中の番組の「番組ジャンル」に対応する「番組内のローカルイベント」情報を取得するステップ２５０と、取得した「番組内のローカルイベント」情報を映像処理部９６へ出力するステップ２５２と、ステップ２５２の後、それまでに取得した情報から、チャンネル情報、「現在放送中の番組」情報及び「番組内のローカルイベント」情報により表示画面を作成するステップ２５４を含む。ステップ２５４の後、この処理を終了する。
【００６０】
番組情報表示画面作成処理はさらに、ステップ２４４において「番組内のローカルイベント」情報が空ではないと判定されたことに応答して実行され、「番組内のローカルイベント」情報がＣＭ中であることを示す値か否かを判定するステップ２５６と、ステップ２５６において「番組内のローカルイベント」情報はＣＭであると判定されたことに応答して実行され、ＦＬＡＧ＝１であるか否かを判定するステップ２５８と、ステップ２５８においてＦＬＡＧ＝１であると判定されたことに応答して実行され、それまでに取得した情報から、チャンネル情報、「現在放送中の番組」情報、及び「番組内のローカルイベント」情報により表示画面を作成するステップ２６４とを含む。なお、ここでは、チャンネル情報及び「現在放送中の番組」情報を大きく表示させる。ステップ２６４の後、この処理を終了する。
【００６１】
なお、ステップ２５６において「番組内のローカルイベント」情報がＣＭではないと判定された場合、処理はステップ２５４へ進む。
【００６２】
番組情報表示画面作成処理はさらに、ステップ２５８においてＮＯと判定されたことに応答して実行され、ステップ２４２において取得した「番組内のローカルイベント」情報の中から「ＣＭ」に関する情報を映像処理部９６へ出力するステップ２６０と、この「ＣＭ」に関する情報により映像処理部９６に表示画面を作成させるステップ２６２とを含む。ステップ２６２の後、この処理を終了する。
【００６３】
〈動作〉
以上に構成を説明したこのデジタルテレビ放送受信装置８０は、以下のように動作する。図３を参照して、デジタルテレビ放送受信装置８０の電源が投入されると、図４に示すチューナ１２０は初期設定により指定されたチャンネルの信号の受信を開始し、図３に示す中央処理部１０４は、補助記憶部１０８に格納されたプログラムの実行を開始する。なお、以下に示す動作は、ユーザがリモコン１１４等を介してチャンネル切替操作を行なったときにも実行される。チャンネル切替操作を示す赤外線信号はユーザ入力受付部１１２により受信され、受信信号が中央処理部１０４に与えられる。
【００６４】
図４を参照し、チューナ１２０は、中央処理部１０４の制御により、指定されたチャンネルの受信を行なうため、その周波数設定を変更したのち、新しい周波数と同調し、受信した信号を復調部１２２に与える。復調部１２２は、チューナ１２０により受信し出力された信号を復調し、その信号を多重信号分離部１２４へ与える。多重信号分離部１２４は、復調された信号をその情報の種類によって分離し、そのうち、番組特定情報及びサービス情報パケットを番組特定情報・サービス情報処理部１２６へ、映像信号パケットを映像信号暗号解除処理部１２８へ、音声信号パケットを音声信号暗号解除処理部１３０へ、それぞれ出力する。
【００６５】
番組特定情報・サービス情報処理部１２６は、番組特定情報及びサービス情報パケットに含まれる情報のうち、限定受信情報を映像信号暗号解除処理部１２８及び音声信号暗号解除処理部１３０へ与え、それ以外の情報については、中央処理部１０４の指示に応じて処理を行ない、映像処理部９６又は中央処理部１０４へ出力する。なお、番組特定情報・サービス情報処理部１２６が受ける、限定受信情報以外の情報には、文字情報である、チャンネル情報、「現在放送中の番組」情報、「次に放送予定の番組」情報、及び「番組内のローカルイベント」情報を含む。
【００６６】
映像信号暗号解除処理部１２８は、多重信号分離部１２４から出力された映像信号パケットについて、番組特定情報・サービス情報処理部１２６から与えられた限定受信情報と、限定受信認証鍵格納部９４から与えられた限定受信認証鍵とにより、その暗号を解除して映像信号復号部１３２へ出力する。映像信号復号部１３２は暗号解除済みの映像信号を復号し、映像処理部９６へ与える。
【００６７】
音声信号暗号解除処理部１３０は、多重信号分離部１２４から出力された音声信号パケットについて、番組特定情報・サービス情報処理部１２６から与えられた限定受信情報と、限定受信認証鍵格納部９４から与えられた限定受信認証鍵とにより、その暗号を解除して音声信号復号部１３４へ出力する。音声信号復号部１３４は暗号解除済みの音声信号を復号し、音声処理部９８へ与える。
【００６８】
図３を参照して、映像処理部９６は、中央処理部１０４の制御に従い、映像信号復号部１３２から出力された映像信号と、番組特定情報・サービス情報処理部１２６から出力された文字情報とにより、映像信号と文字情報画面との合成画面を作成する。この際の中央処理部１０４の動作について以下に説明する。
【００６９】
図５を参照して、ステップ１４０で、ユーザによるチャンネル切替操作があったか否かが判定される。ここでは、ユーザによるチャンネル切替操作がない場合を想定すると、制御は図６に示すステップ１６５に進む。
【００７０】
ステップ１６５では、フラグＦＬＡＧに０を代入する。この情報は主記憶部１０６に記憶される。ステップ１６５の後、処理はステップ１６６の番組情報表示画面作成処理へ進む。
【００７１】
ステップ１６６では、映像処理部９６による番組情報表示画面作成処理が実行される。すなわち、図９を参照して、ステップ２４０で現在表示中のチャンネルのチャンネル情報が取得される。ステップ２４２で「現在放送中の番組」情報と、「番組のローカルイベント」情報とが取得され、処理はステップ２４４へ進む。ステップ２４４、ステップ２５６及びステップ２５８において、これまでに取得した「番組のローカルイベント」情報を用いて、以下のような処理を行ない、チャンネル切替操作の有無と、ＣＭの放送中か否かにより、異なる番組情報表示画面が作成される。
【００７２】
すなわち、チャンネル切替がなく、番組本編を放送中の場合、ステップ２４４ではＹＥＳと判定される。ステップ２４６、ステップ２４８、ステップ２５０及びステップ２５２において、中央処理部１０４は、補助記憶部１０８から図１０に示すローカルイベントテーブル２８０を取得し、これと、ステップ２４２で取得した「現在放送中の番組」情報に含まれる「番組ジャンル」情報とを照合し、表示部１００へ表示させるための「番組内のローカルイベント」情報を決定し、映像処理部９６へ出力する。処理はステップ２５４へ進み、映像処理部９６を制御して、チャンネル情報、「現在放送中の番組」情報及び「番組内のローカルイベント」情報による表示画面を作成する。ステップ２５４の後、処理は図６に示すステップ１６８へ進む。
【００７３】
また、ＣＭを放送中の場合は、ＦＬＡＧ＝０であるから、ステップ２４４、ステップ２５６、ステップ２５８からステップ２６０に進み、ステップ２６０及びステップ２６２において、ステップ２４２で取得した「番組内のローカルイベント」情報に含まれる「ＣＭ」情報を映像処理部９６へ出力し、映像処理部９６を制御して、ＣＭ情報による表示画面を作成する。ステップ２６２の後、処理は図６に示すステップ１６８へ進む。
【００７４】
また、上記の２つのどちらの場合にもあたらない時は、ステップ２４４及びステップ２５６の判定はＮＯとなり、処理はステップ２５４へ進み、さらに図６に示すステップ１６８に進む。
【００７５】
このようにして文字情報画面を作成した後、図６に示すステップ１６８、ステップ１７０及びステップ１７２において、図４に示す番組特定情報・サービス情報処理部１２６から取得した「番組内のローカルイベント」情報と、図３に示す補助記憶部１０８より取得した、図７に示すテーブル１９０とを照合して表示レイアウトを決定する。中央処理部１０４は映像処理部９６へこの決定した表示レイアウトを与える。図６に示すステップ１７４において、表示レイアウトに基づき、映像信号と、ステップ１６６において作成された文字情報画面とが合成される。ステップ１７６及びステップ１７８において、この合成画面が表示部へ出力される。
【００７６】
一方、ステップ１４０でチャンネル切替があったと判定された場合には以下のような処理が行なわれる。すなわち、図５を参照して、ステップ１４０、ステップ１４２を経てステップ１４３に進み、フラグＦＬＡＧに１が代入される。ステップ１４３の後、ステップ１４４において映像処理部９６から表示部１００への出力信号は停止され、表示部１００は真っ黒の状態になる。その後、ステップ１４６で受信処理ブロック９２に対するチャンネル切替処理が起動される。チャンネル切替処理における受信処理ブロック９２の動作の詳細については後述する。この処理が終わると、チャンネル切替と平行して、ステップ１４８以下の処理が実行される。ここでは、ステップ１４８での判定結果はＹＥＳとなることを想定する。その結果、ステップ１５０において図９に示す処理が実行される。すなわち、ステップ２４０、２４２が実行され、ステップ２４４の判定が行なわれる。本編放送中はステップ２４４の判定はＹＥＳとなり、ステップ２４６に進む、以後の処理については既に説明したとおりである。ＣＭ中の場合、ステップ２５６に進む。
【００７７】
ステップ２５６の判定はＹＥＳ、ＦＬＡＧ＝１であるからステップ２５８の判定はＹＥＳとなり、処理はステップ２６４へ進む。ここでは映像処理部９６を制御して、チャンネル情報、「現在放送中の番組」情報及び「番組内のローカルイベント」情報による表示画面を作成する。ここではユーザにとってより重要な情報として、チャンネル情報及び「現在放送中の番組」情報を大きく表示させる。ステップ２６４の後、図５に示すステップ１５２へ進む。
【００７８】
チャンネル切替があり、前述した２つのどちらの場合にもあたらない時は、ステップ２４４及びステップ２５６の判定はＮＯとなり、処理はステップ２５４へ進む。
【００７９】
図５を参照して、以上のようなステップ１５０の処理が完了した後、ステップ１５２及びステップ１５４において、作成された番組情報表示画面が図３に示す表示部１００へ表示される。そして切替先チャンネルの映像信号表示が正常に行なわれるようになるまで、この文字情報が表示部１００に表示され、ステップ１５６の判定結果がＹＥＳとなって、ステップ１５８、ステップ１６０を実行することにより映像信号が表示されるとこの処理を完了する。
【００８０】
次に例として、図２に示す画面６２が表示される時点における動作を以下に説明する。ユーザが第２チャンネルの視聴を続けているものとする。チャンネル切替操作がないので、図５のステップ１４０の判定結果はＮＯとなる。その結果、図６を参照して、ステップ１６５の処理が実行される。
【００８１】
図６を参照して、ステップ１６５の後、ステップ１６６において番組情報表示画面作成処理が実行される。処理はステップ２４０へ進む。
【００８２】
図９を参照して、ステップ２４０では、映像処理部９６が受信処理ブロック９２に含まれる番組特定情報・サービス情報処理部１２６より、現在視聴しているチャンネル（第２チャンネル）の情報を取得する。ステップ２４２では、映像処理部９６が番組特定情報・サービス情報処理部１２６より、第２チャンネルで「現在放送中の番組」情報“スポーツ「バレーボール○○対△△」”と、「番組内のローカルイベント」情報“ＣＭ”とを取得する。その後ステップ２４４において、ＮＯと判定され、処理はステップ２５６へ進む。ステップ２５６における判定はＹＥＳであり、ステップ２５８へ進む。ステップ２５８ではＮＯと判定される。その後ステップ２６０において、「番組内のローカルイベント」情報内の「ＣＭ」情報“○○ビール”及び“ｈｔｔｐ：／／ｗｗｗ．○○ｂｅｅｒ．．．”を映像処理部９６へ出力し、ステップ２６２において、出力された情報より「ＣＭ」情報表示画面が作成され、処理はステップ１６８へ進む。
【００８３】
図６を参照して、ステップ１６８では中央処理部１０４が「番組内のローカルイベント」情報を取得し、ステップ１７０において、補助記憶部１０８にあらかじめ格納された、図７に示す「『番組内のローカルイベント』情報と『表示レイアウト』情報の対応テーブル」１９０を取得し、ステップ１６８で取得した「番組内のローカルイベント」情報に対応する「表示レイアウト」情報を取得する。この場合、「番組内のローカルイベント」は“ＣＭ中”であるため、「表示レイアウト」情報１９２を取得する。ステップ１７２では映像処理部９６が「表示レイアウト」情報１９２を取得し、ステップ１７４では、この情報に基づき、ステップ１６６において実行された、番組情報表示画面作成処理により作成された「ＣＭ」情報表示画面と、映像信号画面とが合成され、ステップ１７６において映像処理部９６からその合成画面が表示部１００へ出力される。ステップ１７８では表示部１００において合成画面が表示され、処理はステップ１４０へ戻る。
【００８４】
このようにして、図２に示す画面６２のように、ＣＭ映像と、「ＣＭ」に関する文字情報“○○ビール”及び“ｈｔｔｐ：／／ｗｗｗ．○○ｂｅｅｒ．．．”を含む合成画面が表示される。
【００８５】
次に、ユーザがチャンネル切替指示を行ない、画面６４が表示される際のデジタルテレビ放送受信装置８０の動作について説明する。ユーザが、第２チャンネルの番組（画面６０）を視聴した後、図３に示すリモコン１１４を介して第５チャンネルへのチャンネル切替操作を行なったものとする。チャンネル切替操作を示す赤外線信号はユーザ入力受付部１１２により受信され、受信信号が中央処理部１０４に与えられる。チャンネル切替操作があったので、図５のステップ１４０の判定結果はＹＥＳとなる。その結果ステップ１４２の処理が実行される。
【００８６】
ステップ１４２では、ユーザにより指示されたチャンネルが現在表示しているチャンネルと異なるか否かが判定される。ここでは判定結果はＹＥＳとなる。制御はステップ１４３に進み、ＦＬＡＧ＝１が代入される。その後、ステップ１４４において映像処理部９６から表示部１００への出力が停止される。ステップ１４６において、チャンネル切替処理が実行される。
【００８７】
図８を参照して、チャンネル切替処理のステップ２００において、第５チャンネルを受信するように図４に示すチューナ１２０に周波数設定を変更させる。ステップ２０２では、チューナ１２０の新周波数での受信の同調を待ち、その後ステップ２０４において、チューナ１２０の信号を復調部１２２に与えて復調させる。ステップ２０６において、多重信号分離部１２４を制御し、受信した信号パケットをその種類により分離させる。ステップ２０８において、信号分離が可能か否かを判定する。ここでは、判定結果がＹＥＳとなったものとする。制御はステップ２１０へ進み、多重信号分離部１２４において分離された番組特定情報・サービス情報パケット、映像信号パケット、及び音声信号は、それぞれ番組特定情報・サービス情報処理部１２６、映像信号暗号解除処理部１２８、及び音声信号暗号解除処理部１３０に出力される。制御はステップ２１２へ進む。
【００８８】
ステップ２１２では、表示に必要な限定受信認証鍵が格納されているか否かが判定される。前述のように、本実施の形態では、限定受信認証鍵はすべて予め入手されているものとする。その結果、ステップ２１２における判定はＹＥＳとなり、制御はステップ２１４に進む。ステップ２１４では、映像信号、及び音声信号の暗号解除を、それぞれ、映像信号暗号解除処理部１２８、及び音声信号暗号解除処理部１３０において実行する。その後、ステップ２１６へ進み、暗号が解除された映像信号、及び音声信号は、それぞれ、映像信号復号部１３２、及び音声信号復号部１３４へ出力され、ステップ２１８において復号される。その後、ステップ２２０では、復号済みの映像信号及び音声信号が、それぞれ、映像処理部９６、及び、音声処理部９８へ出力される。以上でチャンネル切替処理は終了する。
【００８９】
再び図５を参照して、制御はステップ１４８へ進み、表示に必要な限定受信認証鍵が格納されているか否かが判定される。ここでの判定結果はＹＥＳとなり、ステップ１５０へ進む。ステップ１５０では、番組情報表示画面作成処理が以下のように実行される。
【００９０】
図９を参照して、ステップ２４０では、切替先のチャンネル（第５チャンネル）の情報“ＣＨ５  テレビＰＰ”を取得する。ステップ２４２では映像処理部９６が映像信号から第５チャンネルで現在放送中の番組情報“ドラマ  ？？？”と番組内のローカルイベント情報“ＣＭ中”を取得する。その後、ステップ２４４における判定結果はＮＯとなり、ステップ２５６へ進む。ステップ２５６における判定結果はＹＥＳとなり、ステップ２５８へ進む。ＦＬＡＧ＝１であるからステップ２５８ではＹＥＳと判定され、処理はステップ２６４へ進む。ステップ２６４において、チャンネル情報“ＣＨ５  テレビＰＰ”と、現在放送中の番組情報“ドラマ  ？？？”と、番組内のローカルイベント情報“ＣＭ中”による表示画面を作成する。チャンネル情報“ＣＨ５  テレビＰＰ”と、現在放送中の番組情報“ドラマ  ？？？”の文字が大きく表示される。ここで番組情報表示画面作成処理を終了し、ステップ１５２へ進む。
【００９１】
再び図５を参照して、ステップ１５２へ進み、ステップ１５０で作成された番組情報表示画面が、映像処理部９６から表示部１００へ出力され、ステップ１５４でこの番組情報表示画面が表示部１００により表示される。その後、ステップ１５６で、映像処理部９６に入力される復号済み映像信号の誤り率が基準値内か否かを判定し、基準値内になるまで待機する。基準値内に到達したところで判定はＹＥＳとなりステップ１５８へ進み、映像処理部９６から表示部１００へ復号済み映像信号が出力される。次に、ステップ１６０で、表示部１００により復号済みの映像信号が表示され、この処理を終了する。
【００９２】
以上のように本実施の形態に係るデジタルテレビ放送受信装置８０によれば、表示中の映像と文字情報との内容が一致しているので、ユーザは、番組本編放送中はその番組の情報を、ＣＭ放映中はそのＣＭで紹介されている商品及びサービスの情報を入手することができる。これにより、ユーザの文字情報に対する満足度を向上させることができる。
【００９３】
さらに、あるチャンネルから他のチャンネルに切替るようユーザの指示があった場合、切替先のチャンネルの映像信号の表示が可能になるまでの間、文字情報、すなわち、切替先のチャンネルと、その時点においてそのチャンネルで放送されている番組の情報が表示される。その結果、画面が完全に真っ暗になってしまうことがなくなり、ユーザは、全く映像が見られないという不満を解消することができる。さらに、チャンネル切替時にたまたまＣＭを放映中の場合、ＣＭの文字情報ではなく、番組本編に関する番組情報が表示される。その結果ユーザは、映像が表示されるのを待たずに、放送中の番組を知ることができる。
【００９４】
〈変形例〉
表示される文字情報は、前述したものとは別の態様を示しても良い。指定したチャンネルがＣＭ放映中であっても、その時点で放送中の番組情報及び次に放送予定の番組情報を、加えて表示してもよい。また、チャンネル切替時に、切替先チャンネルの映像表示が可能になるまでの間、表示される文字情報として、切替先チャンネルで次に放送予定の番組情報や、ＣＭ中の場合は、そのＣＭに関する情報が表示されてもよい。ただし、図９に示す番組情報表示画面作成処理に含まれる文字情報が主要であるのに対し、本変形例に示した文字情報は補助的なものであり、これを明示するために、本変形例に示したような補助的な文字情報はその文字のサイズを他方に比べ小さく表示する。
【００９５】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００９６】
【図１】従来の技術による、受信された情報信号の経時変化と、番組情報表示画面との関係を示す図である。
【図２】本発明の第１の実施の形態に係るデジタルテレビ放送受信装置による、受信された情報信号の経時変化と、番組情報表示画面との関係を示す図である。
【図３】第１の実施の形態に係るデジタルテレビ放送受信装置８０の概略ブロック図である。
【図４】図３に示すデジタルテレビ放送受信処理ブロック９２の概要ブロック図である。
【図５】デジタルテレビ放送受信装置８０の中央処理部１０４で実行されるチャンネルメイン制御プログラムを示すのフローチャートである。
【図６】図５のステップ１４０においてＮＯと判定された場合、実行される処理のフローチャートである。
【図７】「『番組内のローカルイベント』情報と『表示レイアウト』情報の対応テーブル」１９０を示す図である。
【図８】図５のステップ１４６において起動され、デジタルテレビ放送受信処理ブロック９２において実行されるチャンネル切替処理を示すフローチャートである。
【図９】図５のステップ１５０及び図６のステップ１６６において起動される、「現在放送中の番組」情報による番組情報表示画面作成処理を示すフローチャートである。
【図１０】「データがないときのローカルイベント」テーブル２８０である。
【符号の説明】
【００９７】
８０  デジタルテレビ放送受信装置
９０  アンテナ端子
９２  デジタルテレビ放送受信処理ブロック（受信処理ブロック）
９４  限定受信認証鍵格納部
９６  映像処理部
９８  音声処理部
１００  表示部
１０２  音声出力部
１０３  バス
１０４  中央処理部
１０６  主記憶部
１０８  補助記憶部
１１０  時計
１１２  ユーザ入力受付部
１１４  リモコン
１１６  操作パネル
１２０  デジタル放送フロントエンド処理部チューナ（チューナ）
１２２  復調部
１２４  多重信号分離部
１２６  番組特定情報・サービス情報処理部
１２８  映像信号暗号解除処理部
１３０  音声信号暗号解除処理部
１３２  映像信号復号部
１３４  音声信号復号部
【図１】
2008306481.tif 000003
【図２】
2008306481.tif 000004
【図３】
2008306481.tif 000005
【図４】
2008306481.tif 000006
【図５】
2008306481.tif 000007
【図６】
2008306481.tif 000008
【図７】
2008306481.tif 000009
【図８】
2008306481.tif 000010
【図９】
2008306481.tif 000011
【図１０】
2008306481.tif 000012